(57)【特許請求の範囲】
【請求項１】
エンジン側のエンジン側ケースとトランスミッションのミッションケースとが互いに着脱可能に連結されると共に、エンジン側の出力部とトランスミッションのミッション入力部とが嵌脱可能にスプライン嵌合し、上記ミッションケースに貫通孔が形成され、上記ミッションケース内で上記ミッション入力部と互いに連動するよう連結されたミッション出力部と上記ミッションケースの外部側に設けられるプロペラシャフトとが上記貫通孔を通し嵌脱可能にスプライン嵌合した車両の駆動装置用分解、組立治具であって、
上記ミッション出力部から上記プロペラシャフトを離脱させたとき、上記貫通孔を開閉可能とするキャップと、このキャップに形成され、このキャップにより上記貫通孔を閉じたとき、上記ミッション出力部に係脱可能に係合する係合部と、上記ミッションケースの外部から付与される外力により上記キャップを上記係合部と共に上記ミッション出力部の軸心回りに回動可能とさせるハンドル部とを備えたことを特徴とする車両の駆動装置用分解、組立治具。
【発明の詳細な説明】
【技術分野】
【０００１】
本発明は、エンジン側、トランスミッション、およびプロペラシャフトが互いに連動連結された車両の駆動装置につき、分解、組立の作業時に用いられる治具に関するものである。
【背景技術】
【０００２】
車両の駆動装置には、従来、下記特許文献１に示されるものがある。この公報のものによれば、駆動装置は、エンジン側と、このエンジン側から出力される駆動力を入力して所望速度に変速した後、この駆動力を出力するトランスミッションとを備えている。また、通常、車両の駆動装置は、上記トランスミッションから出力される駆動力を車輪側に伝達するプロペラシャフトを備えている。そして、上記エンジン側およびトランスミッションは互いに組み付けられた状態で、それぞれ車体に着脱可能に支持され、この駆動装置から出力される駆動力は主に車両の走行用に供される。
【０００３】
具体的には、上記エンジン側は、内燃機関であるエンジンと、このエンジンのクランク軸の端部側に順次支持されるフライホイールおよびクラッチとを有している。このクラッチの従動側部材の軸心上の部分が駆動力の出力部とされ、この出力部にスプラインが形成される。
【０００４】
また、上記トランスミッションは、その外殻を構成するミッションケースと、このミッションケースの内部において互いに並設される複数の動力伝達軸と、これら各軸に支持されると共に互いに噛合可能とされて各軸を互いに連動連結する歯車組とを有している。上記各軸のうち、一つの軸の端部が上記エンジン側からの駆動力を入力するミッション入力部とされ、このミッション入力部にスプラインが形成される。また、上記各軸のうち、他の軸の端部がこのトランスミッションから駆動力を出力するミッション出力部とされ、このミッション出力部にスプラインが形成される。また、前記プロペラシャフトの入力部にスプラインが形成される。
【０００５】
そして、上記エンジン側、トランスミッション、およびプロペラシャフトが互いに組み付けられて上記駆動装置が組み立てられ、この駆動装置が車体に支持された状態では、上記エンジン側の出力部とミッション入力部とがその軸心上で互いにスプライン嵌合させられた状態とされ、また、上記ミッション出力部とプロペラシャフトの入力部とは上記ミッションケースに形成された貫通孔を通し、その軸心上で互いにスプライン嵌合させられた状態とされる。
【０００６】
ここで、上記駆動装置における例えばトランスミッションについて保守、点検をしようとしてこの駆動装置の分解作業をする場合には、通常、まず、上記貫通孔を通してミッション出力部にスプライン嵌合している上記プロペラシャフトを、上記ミッション出力部から離脱させる。次に、車体にエンジン側を支持させたまま、上記トランスミッションを、チェーンブロックなどで吊り上げると共に上記エンジン側から取り外して上記保守等の作業を行う。
【０００７】
一方、上記駆動装置の組立作業をする場合には、上記とは逆の手順により、エンジン側にトランスミッションを組み付け、かつ、このトランスミッションのミッション出力部にプロペラシャフトを組み付ける作業を行えばよく、これにより上記駆動装置の組立作業を終えることができる。
【先行技術文献】
【特許文献】
【０００８】
【特許文献１】特開平９−２２２１３３号公報
【発明の概要】
【発明が解決しようとする課題】
【０００９】
ところで、上記した駆動装置の分解作業時に、上記トランスミッションのミッション出力部からプロペラシャフトを離脱させると、上記貫通孔は開かれたままの状態となる。このため、上記ミッションケース内の歯車組用の潤滑油の一部が上記貫通孔を通して外部に無用に洩出するおそれを生じる。
【００１０】
また、その一方、上記駆動装置の組立作業時に、エンジン側にトランスミッションを組み付けるときには、エンジン側の出力部とミッション入力部との両スプラインを、互いに同軸としたこれらの軸心上で互いに接近させてスプライン嵌合させるが、この場合、これら両スプラインのうちの一方のスプラインの歯と他方のスプラインの歯溝との上記軸心周りでの各位置はランダムである。このため、上記両スプラインをその軸心上で互いに接近させただけでは、これらの互いのスプライン嵌合はさせ難い。そこで、このスプライン嵌合が容易にできるようにするため、上記両スプラインのうち、少なくともいずれかのスプラインをその軸心回りにわずかながら回動させて、上記した一方のスプラインの歯と他方のスプラインの歯溝との上記軸心周りでの各位置を互いに合致させることが考えられる。
【００１１】
しかし、上記したように両スプラインのうち、一方のスプラインの歯と他方のスプラインの歯溝とを合致させる作業は煩雑であり、よって、その分、上記駆動装置の組立作業は煩雑になるおそれがある。
【課題を解決するための手段】
【００１２】
本発明は、上記のような事情に注目してなされたもので、本発明の目的は、車両の駆動装置の分解作業をするとき、トランスミッションのミッションケース内の潤滑油が無用に洩出することを防止する一方、上記駆動装置の組立作業が容易にできるようにし、かつ、これら各作業が簡単な構成で達成できるようにすることである。
【００１３】
請求項１の発明は、エンジン側２のエンジン側ケース７とトランスミッション３のミッションケース１３とが互いに着脱可能に連結されると共に、エンジン側２の出力部１１とトランスミッション２のミッション入力部１８とが嵌脱可能にスプライン嵌合し、上記ミッションケース１３に貫通孔２５が形成され、上記ミッションケース１３内で上記ミッション入力部１８と互いに連動するよう連結されたミッション出力部２１と上記ミッションケース１３の外部側に設けられるプロペラシャフト４とが上記貫通孔２５を通し嵌脱可能にスプライン嵌合した車両の駆動装置用分解、組立治具であって、
上記ミッション出力部２１から上記プロペラシャフト４を離脱させたとき（図１，２中実線）、上記貫通孔２５を開閉可能とするキャップ３９と、このキャップ３９に形成され、このキャップ３９により上記貫通孔２５を閉じたとき、上記ミッション出力部２１に係脱可能に係合する係合部４０と、上記ミッションケース１３の外部から付与される外力により上記キャップ３９を上記係合部４０と共に上記ミッション出力部２１の軸心２０回りに回動Ａ可能とさせるハンドル部４１とを備えたことを特徴とする車両の駆動装置用分解、組立治具である。
【００１４】
なお、この項において、上記各用語に付記した符号や図面番号は、本発明の技術的範囲を後述の「実施例」の項や図面の内容に限定解釈するものではない。
【発明の効果】
【００１５】
本発明による効果は、次の如くである。
【００１６】
請求項１の発明は、エンジン側のエンジン側ケースとトランスミッションのミッションケースとが互いに着脱可能に連結されると共に、エンジン側の出力部とトランスミッションのミッション入力部とが嵌脱可能にスプライン嵌合し、上記ミッションケースに貫通孔が形成され、上記ミッションケース内で上記ミッション入力部と互いに連動するよう連結されたミッション出力部と上記ミッションケースの外部側に設けられるプロペラシャフトとが上記貫通孔を通し嵌脱可能にスプライン嵌合した車両の駆動装置用分解、組立治具であって、
上記ミッション出力部から上記プロペラシャフトを離脱させたとき、上記貫通孔を開閉可能とするキャップを備えている。
【００１７】
このため、上記駆動装置の分解作業時に、上記ミッション出力部からプロペラシャフトを離脱させたとき、上記貫通孔は開かれるが、この場合、この貫通孔を上記治具のキャップで閉じれば、上記ミッションケース内の潤滑油が上記貫通孔を通して無用に洩出することは防止される。
【００１８】
また、上記治具は、キャップに形成され、このキャップにより上記貫通孔を閉じたとき、上記ミッション出力部に係脱可能に係合する係合部と、上記ミッションケースの外部から付与される外力により上記キャップを上記係合部と共に上記ミッション出力部の軸心回りに回動可能とさせるハンドル部とを備えており、次の効果が生じる。
【００１９】
即ち、上記駆動装置の組立作業において、上記エンジン側の出力部とミッション入力部とを互いに同軸の軸心上でスプライン嵌合させるとき、これら両スプラインのうち一方のスプラインの歯と他方のスプラインの歯溝との上記軸心周りでの各位置はランダムであり、このままでは、上記両スプライン同士のスプライン嵌合はし難くなるおそれがある。
【００２０】
そこで、上記キャップにより貫通孔を閉じている治具のハンドル部を操作して、このハンドル部を上記ミッション出力部の軸心回りに回動させる。すると、上記治具の係合部と係合している上記ミッション出力部が回動とすると共にこのミッション出力部に連動連結されている上記ミッション入力部が回動する。そして、このミッション入力部の回動により、このミッション入力部のスプラインの歯（もしくは歯溝）を上記エンジン側の出力部のスプラインの歯溝（もしくは歯）に合致させれば、その後の上記両スプライン同士のスプライン嵌合は容易にできる。よって、その分、駆動装置の組立作業が容易にできる。
【００２１】
そして、上記した駆動装置の分解、組立作業には、上記したように一つの治具が上記貫通孔を閉じた状態のままで共用可能なことから、上記各作業は簡単な構成で達成できる。
【図面の簡単な説明】
【００２２】
【図１】車両の駆動装置と治具との展開斜視図である。
【図２】図１で示したものの部分側面断面図である。
【図３】図２のIII−III線矢視図である。
【発明を実施するための形態】
【００２３】
本発明の車両の駆動装置用分解、組立治具に関し、この駆動装置の分解作業をするとき、トランスミッションのミッションケース内の潤滑油が無用に洩出することを防止する一方、上記駆動装置の組立作業が容易にできるようにし、かつ、これら各作業が簡単な構成で達成できるようにする、という目的を実現するため、本発明を実施するための形態は、次の如くである。
【００２４】
即ち、車両の駆動装置では、エンジン側のエンジン側ケースとトランスミッションのミッションケースとが互いに着脱可能に連結されると共に、エンジン側の出力部とトランスミッションのミッション入力部とが嵌脱可能にスプライン嵌合している。また、上記ミッションケースに貫通孔が形成され、上記ミッションケース内で上記ミッション入力部と互いに連動するよう連結されたミッション出力部と上記ミッションケースの外部側に設けられるプロペラシャフトとが上記貫通孔を通し嵌脱可能にスプライン嵌合している。
【００２５】
そして、上記した車両の駆動装置用分解、組立治具は、上記ミッション出力部から上記プロペラシャフトを離脱させたとき、上記貫通孔を開閉可能とするキャップと、このキャップに形成され、このキャップにより上記貫通孔を閉じたとき、上記ミッション出力部に係脱可能に係合する係合部と、上記ミッションケースの外部から付与される外力により上記キャップを上記係合部と共に上記ミッション出力部の軸心回りに回動可能とさせるハンドル部とを備えている。
【実施例】
【００２６】
本発明をより詳細に説明するために、その実施例を添付の図に従って説明する。
【００２７】
図において、符号１は、自動車で例示される車両の走行用駆動装置である。
【００２８】
上記駆動装置１は、エンジン側２と、このエンジン側２から出力される駆動力を入力して所望速度に変速した後、この駆動力を出力するトランスミッション３と、このトランスミッション３から出力される駆動力を不図示の車輪側に伝達するプロペラシャフト４とを備えている。そして、上記エンジン側２およびトランスミッション３は互いに組み付けられた状態で、不図示の弾性的なエンジンマウントを介し、それぞれ車体に着脱可能に支持される。
【００２９】
具体的には、上記エンジン側２は、内燃機関であるエンジン６と、このエンジン６のクランクケースを含みエンジン側２の外殻を構成するエンジン側ケース７と、このエンジン側ケース７に内有されて支持される不図示のクランク軸と、このクランク軸の軸端部側に順次支持されるフライホイール８およびクラッチ９とを有している。このクラッチ９の従動側部材の軸心１０上の部分が駆動力の出力部１１とされ、この出力部１１の上記軸心１０上に内スプラインである出力スプライン１２が形成される。
【００３０】
前記トランスミッション３は、その外殻を構成するミッションケース１３と、このミッションケース１３内で互いに並設されると共にそれぞれこのミッションケース１３に支持される複数の動力伝達軸１４，１５と、これら各軸１４，１５に支持されると共に互いに噛合可能とされて各軸１４，１５を互いに連動連結する不図示の歯車組と、上記ミッションケース１３内に収容され、上記歯車組を油浴させて潤滑する潤滑油１６とを有している。
【００３１】
上記各軸１４，１５のうち、一つの軸１４の軸心１７方向の端部が上記エンジン側２からの駆動力を入力するミッション入力部１８とされ、このミッション入力部１８の軸心１７上に外スプラインである入力スプライン１９が形成される。上記出力スプライン１２と入力スプライン１９とは、互いに同軸とされた上記両軸心１０，１７上で、互いに嵌脱可能にスプライン嵌合可能とされる。なお、上記出、入力スプライン１２，１９の内、外スプラインの形状は逆であってもよい。
【００３２】
また、上記各軸１４，１５のうち、他の軸１５の軸心２０方向の端部がこのトランスミッション３から駆動力を出力するミッション出力部２１とされ、このミッション出力部２１の軸心２０上に外スプラインである出力スプライン２２が形成される。
【００３３】
上記トランスミッション３の外殻を形成するミッションケース１３には貫通孔２５が形成され、この貫通孔２５の内周面にはオイルシール２６が嵌着される。一方、上記ミッション出力部２１からの駆動力を入力する前記プロペラシャフト４の入力部２７の軸心２８上には内スプラインである入力スプライン２９が形成される。上記トランスミッション３のミッション出力部２１の出力スプライン２２とプロペラシャフト４の入力部２７の入力スプライン２９とは、互いに同軸とされた上記両軸心２０，２８上で、上記貫通孔２５を通し互いに嵌脱可能にスプライン嵌合可能とされる。なお、上記出、入力スプライン２２，２９の内、外スプラインの形状は逆であってもよい。
【００３４】
そして、上記エンジン側２、トランスミッション３、およびプロペラシャフト４が互いに組み付けられて上記駆動装置１が組み立てられた状態では、上記エンジン側２のエンジン側ケース７の上記出力部１１側の開口縁部３３と、上記トランスミッション３のミッションケース１３の上記ミッション入力部１８側に形成された外向きフランジである開口縁部３４とが複数の締結具３５により互いに結合され、かつ、上記出力部１１の出力スプライン１２とミッション入力部１８の入力スプライン１９とがその軸心１０，１７上で、互いにスプライン嵌合させられる。
【００３５】
また、上記状態に加えて、上記トランスミッション３のミッション出力部２１の出力スプライン２２とプロペラシャフト４の入力部２７の入力スプライン２９とがその軸心２０，２８上で、上記貫通孔２５を通し互いに軸方向に摺動可能となるようスプライン嵌合させられる（図２中一点鎖線）。また、この場合、上記プロペラシャフト４の入力部２７の外周面が上記オイルシール２６の内周面の弾性リップ部に摺接して、この摺接部がシールされる。これにより、上記ミッションケース１３内の潤滑油１６が上記貫通孔２５を通して外部に洩出することは防止される。
【００３６】
上記の場合、ミッション出力部２１から上記プロペラシャフト４を離脱させたときには（図１，２中実線）、上記貫通孔２５は開いた状態とされる。
【００３７】
上記駆動装置１の分解、組立の作業時に用いられる治具３８が設けられる。
【００３８】
上記治具３８は、上記ミッション出力部２１の軸心２０上に位置し、開いた状態の上記貫通孔２５に嵌脱可能に嵌入されて（図１，２中二点鎖線）、この貫通孔２５を開閉可能に閉じる軸形状のキャップ３９と、このキャップ３９の軸心上でこのキャップ３９に形成され、このキャップ３９により上記貫通孔２５を閉じたとき、上記ミッション出力部２１に係脱可能に係合する係合孔である係合部４０と、上記ミッションケース１３の外部からの操作力を入力して、上記キャップ３９と係合部４０とを上記ミッション出力部２１の軸心２０回りに回動Ａ可能とさせる円板形状のハンドル部４１とを有している。
【００３９】
上記キャップ３９の外周面は、上記プロペラシャフト４の入力部２７の外周面と同径とされ、上記オイルシール２６の内周面に摺接して、この摺接部がシールされる。また、上記係合部４０は、具体的には、上記ミッション出力部２１の出力スプライン２２にスプライン嵌合する内スプラインの複数歯のうち、強度的に必要とされる一部の歯（２〜４本）のみが残された形状とされる。
【００４０】
上記構成によれば、治具３８は、上記ミッション出力部２１から上記プロペラシャフト４を離脱させたとき（図１，２中実線）、上記貫通孔２５を開閉可能とするキャップ３９を有している。
【００４１】
このため、上記エンジン側２のクラッチ９におけるクラッチディスクを交換しようとする場合など、上記駆動装置１の分解作業時に、上記エンジン側２からトランスミッション３を離脱させると共に、このトランスミッション３の上記ミッション出力部２１からプロペラシャフト４を離脱させたとき、上記ミッションケース１３の貫通孔２５は開かれた状態にされるが、この場合、この貫通孔２５を上記治具３８のキャップ３９で閉じれば、上記ミッションケース１３内の潤滑油１６が上記貫通孔２５を通して無用に洩出することは防止される。
【００４２】
一方、上記駆動装置１の組立作業は、次のようにすることができる。
【００４３】
即ち、上記エンジン側２が、その出力部１１の軸心１０周りで所定姿勢を保持するよう、このエンジン側２を車体に支持させる。一方、上記トランスミッション３を例えばチェーンブロックで吊り上げて、このトランスミッション３がミッション入力部１８の軸心１７周りで所定姿勢を保持するよう支持させる。この状態で、上記各軸心１０，１７を互いに同軸上に位置させる。そして、この同軸の軸心１０，１７上で上記出、入力スプライン１２，１９を互いに接近させる。この際、これら出、入力スプライン１２，１９のうち、一方のスプラインの歯と他方のスプラインの歯溝との上記軸心１０，１７周りでの各位置はランダムであり、このままでは、上記出、入力スプライン１２，１９同士のスプライン嵌合はし難くなるおそれがある。
【００４４】
そこで、上記キャップ３９により貫通孔２５を閉じている治具３８のハンドル部４１を操作して、このハンドル部４１を上記ミッション出力部２１の軸心２０回りに回動Ａさせる。すると、上記治具３８の係合部４０と係合している上記ミッション出力部２１が回動Ａとすると共にこのミッション出力部２１に連動連結されている上記ミッション入力部１８が回動Ａする。そして、このミッション入力部１８の回動Ａにより、このミッション入力部１８の入力スプライン１９の歯（もしくは歯溝）を上記エンジン側２の出力部１１の出力スプライン１２の歯溝（もしくは歯）に合致させれば、その後の上記出、入力スプライン１２，１９同士のスプライン嵌合は容易にできる。よって、その分、駆動装置１の組立作業が容易にできる。
【００４５】
そして、上記した駆動装置１の分解、組立作業には、上記したように一つの治具３８が上記貫通孔２５を閉じた状態のままで共用可能なことから、上記各作業は簡単な構成で達成できる。
【００４６】
なお、上記治具３８はポリエチレンなどの樹脂製であることが好ましい。また、上記ハンドル部４１に付与される外力は、作業者が直接付与する把持力であってもよいが、工具などを介して間接的に付与するものであってもよい。
【符号の説明】
【００４７】
１    駆動装置
２    エンジン側
３    トランスミッション
４    プロペラシャフト
６    エンジン
７    エンジン側ケース
１０  軸心
１１  出力部
１２  出力スプライン
１３  ミッションケース
１４  動力伝達軸
１５  動力伝達軸
１６  潤滑油
１７  軸心
１８  ミッション入力部
１９  入力スプライン
２０  軸心
２１  ミッション出力部
２２  出力スプライン
２５  貫通孔
２７  入力部
２８  軸心
２９  入力スプライン
３８  治具
３９  キャップ
４０  係合部
４１  ハンドル部
Ａ    回動
【図１】
0006309364.tif 000002
【図２】
0006309364.tif 000003
【図３】
0006309364.tif 000004